(57)【要約】【課題】  複数のファイルシステムを有する情報記録媒体の領域管理を情報記録再生装置側で行い、上位装置からの指示で映像データ領域の終わりを越えて記録しようとした場合でも、その他データファイル領域の上書きを行わないようにする。【解決手段】  ２種類以上のファイルシステム４４，４５を含む情報記録媒体であって、ファイルシステム４４，４５毎のデータ記録領域の物理アドレス情報を例えばリードイン領域４１中に記録させておくことにより、各ファイルシステム４４，４５の境界を上位ホスト機側に頼ることなく、確実に情報記録再生装置側で情報記録媒体から直接読み出して領域認識・管理機能を発揮させることができる。【選択図】    図４
2005346858.tif 000002
【特許請求の範囲】
【請求項１】
２種類以上のファイルシステムを含む情報記録媒体であって、
ファイルシステム毎のデータ記録領域の物理アドレス情報が記録されている、情報記録媒体。
【請求項２】
前記物理アドレス情報は、リードイン領域中の所定領域に記録されている、請求項１記載の情報記録媒体。
【請求項３】
前記物理アドレス情報は、ファイルシステムの先頭物理アドレスに関する情報である、請求項１又は２記載の情報記録媒体。
【請求項４】
２種類以上のファイルシステムが存在しない場合には、当該ファイルシステムが存在しないことを表す情報が前記物理アドレス情報に代えて記録されている、請求項１ないし３の何れか一記載の情報記録媒体。
【請求項５】
請求項１ないし４の何れか一記載の情報記録媒体から記録されているファイルシステム毎のデータ記録領域の物理アドレス情報を読み取る手段と、
読み取られた前記物理アドレス情報をメモリに格納する手段と、
前記メモリに格納された前記物理アドレス情報を参照しながら当該情報記録媒体の対象となるファイルシステムに対するデータの記録又は再生動作を制御する手段と、
を備える情報記録再生装置。
【請求項６】
前記制御する手段は、現在記録又は再生動作を行っているファイルシステムのアドレスが前記物理アドレス情報により規定される後続のファイルシステムとの境界アドレスに近づいた場合又は達した場合には上位ホスト機にその旨を通知する、請求項５記載の情報記録再生装置。
【請求項７】
請求項１ないし４の何れか一記載の情報記録媒体から記録されているファイルシステム毎のデータ記録領域の物理アドレス情報を読み取る手段と、
読み取られた前記物理アドレス情報をメモリに格納する手段と、
前記メモリに格納された前記物理アドレス情報に基づき各ファイルシステムでデータを記録できる最終物理アドレスを上位ホスト機に通知する手段と、
を備える情報記録再生装置。
【請求項８】
前記情報記録媒体に対する記録又は再生動作に伴い前記物理アドレス情報に変更が生じた場合に、当該情報記録媒体上の当該物理アドレス情報及び前記メモリに格納された当該物理アドレス情報を当該変更に合わせて更新する手段を備える、請求項５ないし７の何れか一記載の情報記録再生装置。
【請求項９】
情報記録媒体に対してデータの記録又は再生動作を行う情報記録再生装置が備えるコンピュータにインストールされ、当該コンピュータに、
請求項１ないし４の何れか一記載の情報記録媒体から記録されているファイルシステム毎のデータ記録領域の物理アドレス情報を読み取る手段と、
読み取られた前記物理アドレス情報をメモリに格納する手段と、
前記メモリに格納された前記物理アドレス情報を参照しながら当該情報記録媒体の対象となるファイルシステムに対するデータの記録又は再生動作を制御する手段と、
を実行させる情報記録再生用プログラム。
【請求項１０】
前記制御する手段は、現在記録又は再生動作を行っているファイルシステムのアドレスが前記物理アドレス情報により規定される後続のファイルシステムとの境界アドレスに近づいた場合又は達した場合には上位ホスト機にその旨を通知する、請求項９記載の情報記録再生用プログラム。
【請求項１１】
情報記録媒体に対してデータの記録又は再生動作を行う情報記録再生装置が備えるコンピュータにインストールされ、当該コンピュータに、
請求項１ないし４の何れか一記載の情報記録媒体から記録されているファイルシステム毎のデータ記録領域の物理アドレス情報を読み取る手段と、
読み取られた前記物理アドレス情報をメモリに格納する手段と、
前記メモリに格納された前記物理アドレス情報に基づき各ファイルシステムでデータを記録できる最終物理アドレスを上位ホスト機に通知する手段と、
を実行させる情報記録再生用プログラム。
【請求項１２】
前記情報記録媒体に対する記録又は再生動作に伴い前記物理アドレス情報に変更が生じた場合に、当該情報記録媒体上の当該物理アドレス情報及び前記メモリに格納された当該物理アドレス情報を当該変更に合わせて更新する手段を前記コンピュータに実行させる、請求項９ないし１１の何れか一記載の情報記録再生用プログラム。
【発明の詳細な説明】
【技術分野】
【０００１】
本発明は、動画像データ（映像データ）・静止画データ・まとまった量のテキストデータ（ログ）など、時系列のコンテンツデータに関するデータを扱う技術として、このようなデータを記録する情報記録媒体、このような情報記録媒体を対象とする情報記録再生装置及び情報記録再生用プログラムに関する。
【０００２】
この場合の情報記録再生装置とは、光ディスク（ＣＤ−ＲＯＭ／Ｒ／ＲＷ，ＤＶＤ−ＲＯＭ／Ｒ／ＲＷ／ＲＡＭ，ＤＶＤ＋ＲＷ／Ｒ等）、光磁気ディスク（ＭＯ，ＭＤ）、磁気ディスク（ＨＤ，ＦＤ）、メモリカード（不揮発性ＲＡＭ，フラッシュＲＯＭ）等、主にコンピュータシステムの中で用いられる情報記録再生装置を意味するが、これらの応用製品として、ビデオレコーダ、ビデオカムコーダ、デジタル編集装置、ノンリニア編集装置、デジタルカメラ、ゲームコンソール、ＤＶＤプレイヤなどがある。
【背景技術】
【０００３】
従来、光ディスク状の円盤型ディスク上に映像データ、静止画データ、文字データを記録する方式として、そのデータの種類によって、ディスク上の記録する範囲を分ける方式がある。特に、ＤＶＤ−Videoのようなオーサリング（ファイルではなく所定の書式で焼き付けられた）映像データと静止画データ・文字データとからなるファイルが混在するような場合がある。こうすることでデータの種類によって異なるデータ処理を円滑に行っている。
例えば、非特許文献１中のFigure２にあるように、映像データと他のデータファイルとが１枚の記録媒体上に混在する例がある。この非特許文献１の場合、ＤＶＤ Read Only媒体（ＲＯＭ）への適用例であるが、当然同様なレイアウトで記録可能な記録媒体、例えば、ＤＶＤ＋ＲＷ，ＤＶＤ＋Ｒ，ＤＶＤ−ＲＷ，ＤＶＤ−Ｒ等に記録することも可能である。
【０００４】
【特許文献１】特公平７−１５９５号公報
【特許文献２】特開平５−３４７０７１号公報
【特許文献３】特開２００２−２８８９３３公報
【特許文献４】特開２００１−２８３５０８公報
【非特許文献１】ECMA Technical Report TR/71 February 1998“DVD Read-Only Disk File System Specification”
【発明の開示】
【発明が解決しようとする課題】
【０００５】
非特許文献１のような方式は、Ｒ媒体（追記型媒体）の場合であれば、一度書き終えれば書き換えは発生しないので、映像データ領域と他のデータファイル領域との境目がどこかということは書き終わった後意識しなくとも良い。
【０００６】
しかし、ＲＷ媒体（書換え型媒体）の場合、一度度書き終えた後も書き換えするケースが発生する。例えば、ＲＷ媒体で書き込み・書き換えを行うような場合、非特許文献１のFigure２中のDescription “ＵＤＦ／ＥＣＭＡ−１１９Files”と言う部分で、ファイルシステムＵＤＦに映像データ、ファイルシステムＥＣＭＡ−１１９にデータファイルが存在するケースで、一度書き込みを行った後、ＵＤＦ部に映像データを追加又は書き込まれていた量より多い映像データで差し替える場合、映像データ領域としてデータファイル領域の一部を新たに割り当てる必要がある。正確に言うと、映像データは通常連続して書かれているので、データファイル領域の前半がその領域に当てられる。このような書き換えを行う場合、単に映像データのことのみ考えて書き換えを行うと、データファイル領域の頭を書き潰してしまう場合がある。つまり、予め記録する範囲を分けておいても映像データが予定したデータ量より増えてしまったり、逆に少なくなったりすることがあり、予定より増えてしまった場合には、予め別のデータ用に残している部分に記録することになるが、当該予定部分に既に別のデータが記録されている場合には、記録されているデータの上に新しいデータを記録するため、記録されているデータは破壊されてしまう。
【０００７】
世の中にある全てのシステムが、図１にあるようなファイルシステムを読み取って記録できる映像データ領域の終わりを認識できれば良いが、必ずしもそうなっていない。これを無視して（映像データ領域の終わりを認識できないので）記録を続ける場合がある。このような場合には、「その他データファイル領域」迄記録をし続けることになる。「その他データファイル領域」の内容が破壊され映像データに書き変えられてしまう。こればかりでなく、このようにして領域を無視して記録された記録媒体が、本来このような映像データ領域の終わりの認識機能を持っている装置で追記を行おうとすると、あるべき所にファイルシステムが無い（ファイルシステムの管理情報が書き換わっている）ために、論理的な矛盾を起こしシステムエラーを引き起こしてしまう場合がある。
【０００８】
ちなみに、特許文献１には複数のドライブに分散されている情報を一つに纏め上げる技術、特許文献２にはシステムコントローラ側でライトプロテクトを制御する技術、特許文献３にはライトプロテクトをキーの長押しで解除する技術、特許文献４にはチェンジャに適用可能なライトプロテクト法に関する技術が示されているが、何れもライトプロテクトの制御手段について記述されているのみで、ファイルシステムに関する領域外れのものとは異なるものである。
【０００９】
本発明の目的は、このような領域管理を情報記録再生装置側で行い、上位装置からの指示で映像データ領域の終わりを越えて記録しようとした場合でも、その他データファイル領域の上書きを行わないようにすることである。
【課題を解決するための手段】
【００１０】
請求項１記載の発明は、２種類以上のファイルシステムを含む情報記録媒体であって、ファイルシステム毎のデータ記録領域の物理アドレス情報が記録されている。
【００１１】
請求項２記載の発明は、請求項１記載の情報記録媒体において、前記物理アドレス情報は、リードイン領域中の所定領域に記録されている。
【００１２】
請求項３記載の発明は、請求項１又は２記載の情報記録媒体において、前記物理アドレス情報は、ファイルシステムの先頭物理アドレスに関する情報である。
【００１３】
請求項４記載の発明は、請求項１ないし３の何れか一記載の情報記録媒体において、２種類以上のファイルシステムが存在しない場合には、当該ファイルシステムが存在しないことを表す情報が前記物理アドレス情報に代えて記録されている。
【００１４】
請求項５記載の発明の情報記録再生装置は、請求項１ないし４の何れか一記載の情報記録媒体から記録されているファイルシステム毎のデータ記録領域の物理アドレス情報を読み取る手段と、読み取られた前記物理アドレス情報をメモリに格納する手段と、前記メモリに格納された前記物理アドレス情報を参照しながら当該情報記録媒体の対象となるファイルシステムに対するデータの記録又は再生動作を制御する手段と、を備える。
【００１５】
請求項６記載の発明は、請求項５記載の情報記録再生装置において、前記制御する手段は、現在記録又は再生動作を行っているファイルシステムのアドレスが前記物理アドレス情報により規定される後続のファイルシステムとの境界アドレスに近づいた場合又は達した場合には上位ホスト機にその旨を通知する。
【００１６】
請求項７記載の発明の情報記録再生装置は、請求項１ないし４の何れか一記載の情報記録媒体から記録されているファイルシステム毎のデータ記録領域の物理アドレス情報を読み取る手段と、読み取られた前記物理アドレス情報をメモリに格納する手段と、前記メモリに格納された前記物理アドレス情報に基づき各ファイルシステムでデータを記録できる最終物理アドレスを上位ホスト機に通知する手段と、を備える。
【００１７】
請求項８記載の発明は、請求項５ないし７の何れか一記載の情報記録再生装置において、前記情報記録媒体に対する記録又は再生動作に伴い前記物理アドレス情報に変更が生じた場合に、当該情報記録媒体上の当該物理アドレス情報及び前記メモリに格納された当該物理アドレス情報を当該変更に合わせて更新する手段を備える。
【００１８】
請求項９記載の発明の情報記録再生用プログラムは、情報記録媒体に対してデータの記録又は再生動作を行う情報記録再生装置が備えるコンピュータにインストールされ、当該コンピュータに、請求項１ないし４の何れか一記載の情報記録媒体から記録されているファイルシステム毎のデータ記録領域の物理アドレス情報を読み取る手段と、読み取られた前記物理アドレス情報をメモリに格納する手段と、前記メモリに格納された前記物理アドレス情報を参照しながら当該情報記録媒体の対象となるファイルシステムに対するデータの記録又は再生動作を制御する手段と、を実行させる。
【００１９】
請求項１０記載の発明は、請求項９記載の情報記録再生用プログラムにおいて、前記制御する手段は、現在記録又は再生動作を行っているファイルシステムのアドレスが前記物理アドレス情報により規定される後続のファイルシステムとの境界アドレスに近づいた場合又は達した場合には上位ホスト機にその旨を通知する。
【００２０】
請求項１１記載の発明の情報記録再生用プログラムは、情報記録媒体に対してデータの記録又は再生動作を行う情報記録再生装置が備えるコンピュータにインストールされ、当該コンピュータに、請求項１ないし４の何れか一記載の情報記録媒体から記録されているファイルシステム毎のデータ記録領域の物理アドレス情報を読み取る手段と、読み取られた前記物理アドレス情報をメモリに格納する手段と、前記メモリに格納された前記物理アドレス情報に基づき各ファイルシステムでデータを記録できる最終物理アドレスを上位ホスト機に通知する手段と、を実行させる。
【００２１】
請求項１２記載の発明は、請求項９ないし１１の何れか一記載の情報記録再生用プログラムにおいて、前記情報記録媒体に対する記録又は再生動作に伴い前記物理アドレス情報に変更が生じた場合に、当該情報記録媒体上の当該物理アドレス情報及び前記メモリに格納された当該物理アドレス情報を当該変更に合わせて更新する手段を前記コンピュータに実行させる。
【発明の効果】
【００２２】
本発明によれば、各ファイルシステムの境界を上位ホスト機側に頼ることなく、確実に情報記録再生装置側で情報記録媒体から直接読み出して領域認識・管理機能を発揮させることができる。よって、例えば映像データのファイルシステムとデータファイルのファイルシステムとが混在する情報記録媒体の場合に、上位ホスト機側の機能に関らず、映像データ領域までしか書換えを行わせないようにすることができ、データファイルのファイルシステムを保護することができる。
【発明を実施するための最良の形態】
【００２３】
本発明を実施するための最良の形態について図面を参照して説明する。本実施の形態は、情報記録媒体として、リニアにアドレスされる光ディスク、情報記録再生装置として光ディスクドライブへの適用例を示す。
【００２４】
まず、図２を参照して本実施の形態の光ディスクドライブ装置が用いられる環境例を示す。上側に示す記録装置１にはユーザビリティが良く簡単に利用できることが重視され、リモコン２など入力装置があり、チューナやネットワークインタフェースによりアンテナ、ＣＡＴＶ、インターネット等の他のメディア３からの映像や音声を受信し記録媒体５に記録できる。必須ではないがそれを表示できる表示装置４などがあると入力にも便利である。逆に、下側に示す記録装置６は、ＰＣに内蔵され、それにはキーボード・マウス７で指示入力ができる。こちらでは、より詳細な編集・検索操作が想定される。リモコン２やキーボード・マウス７といったものは、インデックスデータの入力手段、選択手段にもなる。この場合も、必須ではないがそれを表示できる表示装置８などがあると入力にも便利である。どちらの記録装置１，６の場合も当該ドライブと装置全体はＡＴＡＰＩなどのインタフェースで上位ホスト機となるコンピュータ又はＰＣと接続されている。中段の編集装置９は、スタジオなどで用いられる専用装置などである。細かなオーサリングなどが行え、専門家が使うように設計されているものが多い。本発明によれば、これらの様々な場所や用途に応じた記録装置（情報記録再生装置）を提供できる。
【００２５】
図３は、例えば記録装置６として適用可能な本実施の形態の光ディスク装置（光ディスクドライブ）１０の構成例を示す概略ブロック図である。本実施の形態の光ディスクドライブ１０は、情報記録媒体である光ディスク５を回転させるスピンドルモータ１１、レーザ光を光ディスク５に集光照射させて記録又は再生動作を行う光ピックアップ１２、この光ピックアップ１２を光ディスク５の半径方向に移動させる粗動モータ１３、これらの部材に対する各々の制御系１４，１５，１６、並びに、光ピックアップ１２中のレーザ光源を制御したり受光素子から得られる信号を処理したりする信号処理系１７から構成されている。
【００２６】
光ディスク５から読み出したデータはバッファメモリ１８中のキャッシュメモリに蓄えられ、外部インタフェース１９を介して上位ホスト機２０に転送される。上位ホスト機２０から送信されたデータは、バッファメモリ１８中のキャッシュメモリを経由して光ディスク５に応じて変換され、記録される。また、コントローラ２１により記録の開始、中断、再開、媒体セットや取り出しなどの制御を行う。コントローラ２１は、コンピュータとして機能するもので、ＣＰＵ、レジスタ、記録再生用プログラムを含む各種制御プログラム、不揮発性メモリ２２を含み、各種の設定を保持しておける。上位ホスト機２０とは外部インタフェース１９を介して通信する。通信は上位ホスト機２０からコマンドを発行し、光ディスクドライブ１０がそれに応えることで行う。上位ホスト機２０側にデジタルコントローラを統合した場合は、アナログインタフェースで接続することになる。
【００２７】
上位ホスト機２０側では、外部からの映像信号のＡＤ変換（アンテナやインターネットからの入力に相当）を行うＡＤ変換部３１、圧縮・展開（ＣＰＵが高速な代替え可能）を行うエンコーダ・デコーダ３２、ＰＡＬ／ＮＴＳＣビデオエンコーダによるＤＡ変換（表示装置への出力に相当）を行うＤＡ変換部３３などを備えている。また、タイマやＲＴＣ（リアルタイムクロック）３４を付け、記録時間を計測したり、実時刻を明らかにすることで、インデックス生成のトリガーやインデックスの中身とすることができる。ＡＴＡ／ＡＴＡＰＩＩインタフェース３５を備え、光学ドライブやＨＤＤとの通信を行う。ＣＰＵ３６とＲＯＭ３７とＲＡＭ３８とを備え、ＲＡＭ３８はワークメモリや映像音声データのバッファに、不揮発性であるフラッシュＲＯＭ３７には全体をコントロールするプログラムやＯＳなどが格納される。ＲＯＭ３７はマスクＲＯＭでもよいがまとめて書き換えができるフラッシュＲＯＭにすると、バージョンアップ時の手間を軽減できる。また、メモリカードコントローラ３９などを備え、デジタルカメラ画像などの入力元としたり、インデックスデータなどの記録先としたりすることもできる。メモリカード４０は着脱式のフラッシュＲＯＭで構成されていることが多く、ＰＣのみならず様々なデバイスとのデジタルデータの受け渡しにも利用できる。
【００２８】
ここで、インデックス作成手段は、プログラムの中に存在し、コントローラ２１又はホスト側ＣＰＵ３６で行う。例えば、録画が開始されると、上位ホスト機２０側から作成した映像と決められたチャプタ画像などのデータを含んだ書込み命令を処理するが、それとは別に、インデックスとして、録画しようとするコンテンツ映像のあるフレームや記録された時刻（例えば、グリニッジ標準時と開始からの経過時間）をデータとして生成し、録画中又は録画後に適当なタイミングで情報記録媒体に記録する。
【００２９】
このような構成において、本実施の形態で用いられる光ディスク５のフォーマット構成例を図４を参照して説明する。例えば、光ディスク５の最内周に位置するリードイン領域４１から最外周に位置するリードアウト領域４２までが記録領域であり、この記録領域中でリードイン領域４１とリードアウト領域４２とに挟まれた領域がユーザ記録可能領域として割当てられている。このユーザ記録可能領域は、複数のファイルシステムが混在する場合、例えば、ファイルシステム領域４３、映像データ領域４４、データファイル領域４５の如く、ファイルシステム毎に領域が区分け設定される。
【００３０】
ここに、図４では、リードイン領域４１の所定領域としてそのリザーブ（Reserve）領域に、新たに領域を定義して格納するデータファイル領域４５の物理アドレス情報としてその先頭物理アドレスを示す情報を格納する様子を模式的に示している。リードイン領域４１は新たに記録する媒体或いは記録されている媒体を光ディスクドライブ１０（情報記録再生装置）にマウントする度に必ず読みに行く部分である。マウントされる光ディスク（情報記録媒体）５は必ずしも一種類ではなく、色んな種類のものがマウントされるので光ディスク（情報記録媒体）５を着脱する度及び電源のオン／オフの度に当該リードイン領域４１部分を読み取り、記録されている内容に応じて光ディスクドライブ１０（情報記録再生装置）の制御を変えていく。また、光ディスク（情報記録媒体）５は記録される際に必ず、決められた内容を書かねばならない。例えば、光ディスク（情報記録媒体）５の種別（ＣＤ−Ｒ，ＣＤ−ＲＷ，ＤＶＤ−Ｒ，ＤＶＤ−ＲＷ，…）、光ディスク（情報記録媒体）５の記憶容量、最終アドレス、…などである。
【００３１】
この部分に、図４で示すように、データファイル領域４５の先頭物理アドレスを書き込む。データファイル領域４５が複数の場合は複数書き込む。
【００３２】
より具体的には、書き換え光ディスク用（＋ＲＷ用）に関する非特許文献；Standard ECMA-337 December 2002中のFigure.24の内容（Control Data Blockの構造）を示す図５におけるContent provider information zone４６内に領域を設けて、データ種（００；Video，０１；データ）、各データ種の先頭物理アドレス（例えば、５バイト）を格納しておく。ちなみに、データファイル領域が存在しない場合には、当該データファイルシステムが存在しないことを表す情報として、物理的に存在しない値、例えば、ＦＦＦＦＦＦＦＦＦＦを先頭物理アドレスに代えて格納しておく。
【００３３】
このような光ディスク５に対して映像データを記録又は再生する際には、リードイン領域４１中に書き込まれたデータファイル領域４５の先頭物理アドレスを参照し、映像データ領域４４の残量を確認しながら記録又は再生動作を実行する。この記録動作において、アドレスが当該先頭物理アドレスに近づくか、達したときには、その旨を上位ホスト機２０側に知らせる（再生動作時も同じ）。
【００３４】
もっとも、当該先頭物理アドレスより予め映像データを記録できる映像データ領域４４の最終物理アドレスを上位ホスト機２０側に通知しておくようにしてもよい。
【００３５】
なお、図４では、光ディスク５から検出し領域情報を計算（非特許文献１中のFigure2より）した後、そのデータを当該光ディスクドライブ１０内部のどこに格納するかを併せて示している。個々の光ディスク５によりデータファイル領域４４が異なるために、格納場所は書き換え可能なメモリ部分でなければならない。本実施の形態では、バッファメモリ１８又は不揮発性メモリ２２に格納するようにしている。この場合、不揮発性メモリ２２はフラッシュメモリのような書き換え可能なものでなければならない。
【００３６】
このような構成等を踏まえ、光ディスクドライブ１０全体の動作を統括するコントローラ２１により実行される記録時の動作制御例を図６に示す概略フローチャートを参照して説明する。まず、記録動作の対象となる光ディスク５が当該ドライブに装填されると、そのリードイン領域４１の所定領域に格納されているデータファイル領域４４の先頭物理アドレス情報を読み取る（ステップＳ１）。このステップＳ１の処理が物理アドレス情報を読み取る手段の機能として実行される。引き続き、読み取られた物理アドレス情報をメモリとしてのバッファメモリ１８に格納する。ここに、バッファメモリ１８に格納する物理アドレス情報は、リードイン領域４１から得られた物理アドレス情報自体でなくてもよく、当該アドレス情報に基づく情報であればよい。本実施の形態では、データファイル領域４４の先頭物理アドレス情報から、現在記録されている映像データ領域４３の最終物理アドレス情報（境界アドレス情報）を計算し、計算された映像データ領域４３の当該最終物理アドレス情報をバッファメモリ１８に格納させるようにしている（Ｓ２）。このステップＳ２の処理が、メモリに格納する手段の機能として実行される。
【００３７】
次に、上位ホスト機２０側からの指示に基づきコンテンツ（映像データ）の記録動作に入る（Ｓ３）。この記録動作中は、常に映像データ領域４３の最終物理アドレスに達したか否かをチェックする（Ｓ４）。映像データ領域４３の最終物理アドレスに達する前に上位ホスト機２０側から記録終了指示を受けた場合には（Ｓ５のＹ）、通常処理として、コンテンツ記録正常停止処理が実行される（Ｓ６）。一方、記録終了指示を受ける前に（Ｓ５のＮ）、映像データ領域４３の最終物理アドレスに達した場合には（Ｓ４のＹ）、まず、データファイル領域４４を無視する指示が出ているか否かをチェックする（Ｓ７）。無視する指示が出ている場合には（Ｓ７のＹ）、光ディスク５における物理的な最終アドレスであるか否かだけを確認し（Ｓ８）、物理的な最終アドレスでなければ（Ｓ８のＮ）、データファイル領域４４を無視して物理的な最終アドレスまでコンテンツ（映像データ）の記録を続行する（Ｓ３）。以後は、コンテンツ記録正常停止処理（Ｓ６）を経て、通常通り、ファイルシステムの記録（作成・更新）（Ｓ１１）、アンカーポイントの記録（作成・更新）（Ｓ１２）、未記録部の記録（Ｓ１３）を行った後、最後にテンポラリリードアウトないしはリードアウトを記録（作成・更新）（Ｓ１４）して終了する。
【００３８】
一方、ステップＳ７の処理でデータ領域無視の指示が出ていない場合には（Ｓ７のＮ）、コンテンツ記録異常停止に入り（Ｓ９）、記録動作を強制的に停止させる。その後、与えられた映像データ領域４４の残量がなくなった旨を上位ホスト機２０側に通知し（Ｓ１０）、上位ホスト機２０側からの指示を待つ。ステップＳ３，Ｓ４，Ｓ７，Ｓ８，Ｓ９の処理が記録動作（又は再生動作）を制御する手段の機能として実行される。これによってデータファイル領域４４に記録されているデータを映像データで上書きしてしまうようなことがなく、映像データ領域４３内での書換えに留まらせることができる。
【００３９】
なお、光ディスク５に対する記録（又は再生）動作に伴い物理アドレス情報に変更が生じた場合に、当該光ディスク５上の当該物理アドレス情報及びメモリに格納された当該物理アドレス情報を当該変更に合わせて更新する手段を備えることが望ましい。この点について、図４を参照して説明する。図４において、例えばデータファイル領域４５に記録可能領域が残っており（容量に余裕がある）、その状態で映像データ領域４４に記録しようとするのであるが、その時点の映像データ領域４４の容量を超えてしまうような（そのまま記録すると、データファイル領域４５にかかってしまう）場合、データファイル領域４５の先頭アドレス位置を後ろ側にずらせば映像データ領域４４を拡張して記録することができる。この場合、データファイル領域４５の先頭アドレス位置を変更する必要がある。そこで、具体的には、Content provider information zone４６の対応するデータファイル領域４５の先頭アドレスを、ずらした当該データファイル領域４５の先頭アドレスに書き換えた上で、バッファメモリ１８に格納されているデータファイル領域４５の先頭アドレスを、ずらした当該データファイル領域４５の先頭アドレスに更新し格納し直す。
【図面の簡単な説明】
【００４０】
【図１】コンテンツ記録媒体のレイアウト例を示す模式図である。
【図２】本発明の記録媒体と装置とが使用される環境例を示す概略ブロック図である。
【図３】本発明の一実施の形態の光ディスクドライブの構成例を示す概略ブロック図である。
【図４】リードイン領域に書き込まれるデータ例を説明するための模式図である。
【図５】コントロールデータブロックの構造例を示す模式図である。
【図６】記録動作の制御例を示す概略フローチャートである。
【符号の説明】
【００４１】
５      情報記録媒体
１８，２２      メモリ
４１      リードイン領域
４４，４５      複数のファイルシステム
【図１】
2005346858.tif 000003
【図２】
2005346858.tif 000004
【図３】
2005346858.tif 000005
【図４】
2005346858.tif 000006
【図５】
2005346858.tif 000007
【図６】
2005346858.tif 000008